(57)【要約】【課題】  駐車券発行機や駐車料金精算機などのような駐車場用管理機から、横扉を無くして管理機全体の構成を簡略化することにより、低コスト化を図ると共に、駐車場管理機の前に車両が停車していて前扉を開けることができない状況下であっても、メンテナンス作業を簡単に、且つ、正確に行うことができるように工夫した駐車場用管理機を提供する。【解決手段】  管理機１０の前扉１１に、表示器１３Ｔの案内画面１３Ａを車両の通行路側より視覚可能な第１の窓部１１Ａと、設定装置２０の設定用キー１４を車両の通行路側より操作可能とする第２の窓部１１Ｂを設け、第２の窓部１１Ｂの前面部に第２の前扉１５を設けて、この第２の前扉１５を開くと、表示器１３Ｔの案内画面１３Ａをメンテナンス用の設定画面１３Ｂ，１３Ｃに切換える。【選択図】    図１
2007219906.tif 000002
【特許請求の範囲】
【請求項１】
駐車場に設置される駐車券発行機や出口料金精算機、或いは、事前料金精算機などの駐車場用管理機であり、車両の通行路に対向する当該管理機の前面に、各種の案内画面を表示する表示器が設けられ、内部にはメンテナンス用の設定装置が設けられると共に、上記管理機の前面部にはメンテナンス用の前扉が開閉可能に設けられた駐車場用管理機であって、
上記管理機の前扉に、上記表示器の案内画面を車両の通行路側より視覚確認可能とする開口状又は透過状の第１の窓部と、上記設定装置の設定用キーを車両の通行路側より操作可能とする開口状の第２の窓部とを設けると共に、
上記第２の窓部の前面部には、この窓部を覆う第２の前扉を設けて、当該第２の前扉が開放されると上記設定用キーの操作が可能と成り、且つ、上記表示器の案内画面がメンテナンス用設定画面に切換えて表示されることを特徴とする駐車場用管理機。
【請求項２】
前記第２の前扉に、当該第２の前扉を閉じた状態にロックする錠前を設け、この錠前には、錠前の解錠を検知すると前記表示器の案内画面をメンテナンス用の設定画面に切換え表示することができる検知手段が設けられていることを特徴とする請求項１に記載の駐車場用管理機。
【請求項３】
前記管理機の前扉に、前記第１の窓部と第２の窓部とが一体的に形成されていることを特徴とする請求項１又は２に記載の駐車場用管理機。
【請求項４】
前記前扉を車両の通行路側に開くと、前記表示器に併設された前記設定用キーの操作が可能と成ると共に、前記案内画面をメンテナンス用設定画面に切換え操作可能と成ることを特徴とする請求項１、２又は３に記載の駐車場用管理機。
【請求項５】
前記前扉を車両の通行路側に開いて前記表示器をメンテナンス用設定画面に切換えた後、前扉を閉じると、当該表示器の画面が自動的に案内画面に切換わることを特徴とする請求項１、２、３又は４に記載の駐車場用管理機。
【発明の詳細な説明】
【技術分野】
【０００１】
本発明は、車両の入場時刻を記録した駐車券を発行して入口ゲートを開閉する駐車券発行機や、駐車車両の駐車料金の決済を以て駐車場の出口のゲートを開閉する駐車料金精算機などの駐車場管理機に関するものである。
【背景技術】
【０００２】
従来より使用されている駐車料金精算機などの駐車場管理機は、車両に乗ったままドライバーが操作する場合が多いため、車路方向に向いた前面に駐車券挿入口や、コイン投入口、紙幣挿入口、払い出し口、或いは、紛失・取消し及び領収証用ボタン、更には、案内表示画面などが配置されていて、駐車券やコイン、又は。紙幣などが詰まった場合の処置や、内部の機器が故障した場合のメンテナンス作業を容易にするために、前面が開閉扉で構成されている。
【０００３】
また、従来の駐車料金精算機では、車両が装置の前に停車した状態で何らかのトラブルが発生して、後続に車列ができているような場合には、車両をバックさせることができないため、その状態で何らかの処置ができるように、特許文献１、２に記載されているように機体の横側（側面）にも横扉を設けておくことにより、前に車両が停車していたとしても、横から前述したメンテナンス作業等を行えるように構成されている。
【特許文献１】意匠登録第１１０１５２９号公報
【特許文献２】特開２００１−２６７７６３号公報
【０００４】
図７は、上記駐車料金精算機１００の従来例を示したものであって、（１）は全体の斜視図、（２）は前扉１０１と横扉１０２を開いた状態にして示した斜視図で、これ等の図面において１０３は前扉１０１に設けた案内表示画面で、１０３Ａはその表示器、１０４は横扉１０２を開いたその内側部分に設けたメンテナンス用の設定装置で、１０５はその設定表示画面、１０６は設定用のキー装置を示す。尚、設定装置１０４が仮想線で示すように横扉１０２の裏面側に設けられる場合もある。
【０００５】
また、図８の（１）と（２）は従来例における出口車路１１０部分の構成を説明した平面図であって、（１）は車両が無い状態を示し、（２）は車両ＣＲが料金精算機１００の前に停車している状態を示したもので、これ等の図面において、１１１は前記料金精算機１００の前面部出口車路１１０に埋設した車両検知用のループコイルで、このループコイル１１１が出庫車両ＣＲを検知すると、料金精算機１００による駐車料金の精算が可能になって、駐車券の挿入によって計算された駐車料金の精算が済むと、出口ゲート機１１２が出口ゲート１１３を開いて車両ＣＲの出庫を許可する一方、駐車券の代わりに定期券が挿入された場合も、同様に出口ゲート１１３が開いて車両ＣＲの出庫を可能にする仕組みに成っている。
【０００６】
更に図示した従来の装置では、図８（２）の如く料金精算機１００の前面部に車両ＣＲが停車しており、しかも後続車ＣＲＴも続いていて車両ＣＲをバックできない状況下、即ち、前扉１０１を開くことができない状況下で料金精算機１００に故障が発生したり、メンテナンスの必要性が生じたような場合には、横扉１０２を開いて図７に示した設定装置１０４を操作したり、内部機器を直接修理したりすることにより、料金精算機１００を修復するように構成されている。
【発明の開示】
【発明が解決しようとする課題】
【０００７】
駐車場利用者が前述したような駐車場管理機を使用している最中にトラブルが発生した場合に、車両が装置の前に停車している状態のままで少なくともエラー内容やステータスの確認をしたり、出口精算機の場合ではゲート開などの必要最低限のメンテナンス操作ができることが必要である。
【０００８】
特に、図８に示したような出口ゲート機１１２と併設される料金精算機１００では、紙幣挿入口、紙幣払い出し口、駐車券挿入口、コイン投入口など、前面から操作する部位が多く、紙幣詰まり、駐車券詰まりなどの際に前面に扉を設けないと、修理やメンテナンスを行うことができない。
【０００９】
従って、従来の料金精算機１００では、図７及び図８の如く前面の前扉１０１に加えてさらに側面に開く横扉１０２を設けていたが、装置外装ケースに２つの大きな扉１０１と１０２があるため、外装の構造が複雑でコストアップに繋がっていた。加えて、状態確認やメンテナンスの設定操作などを行う表示画面付きの設定装置１０４が、機器内部に横扉１０２を開けて操作できるように設置されており、管理装置前面の接客案内画面１０３とは別な画面が必要となることで機器のコストアップに繋がっていた。
【００１０】
更に、事前精算式の駐車場管理装置の場合は、事前精算機がエレベータホールなどに設置されることも多く、また、壁に埋め込んだり狭い通路の奥に設置されることも多いため、横側の横扉１０２を必要とする装置では、横に大きくスペースが空いている場所にしか設置できない問題もあった。
【００１１】
そこで本発明の技術的課題は、駐車券発行機や駐車料金精算機などのような駐車場用管理機から、横扉を無くして管理機全体の構成を簡略化することにより、低コスト化を図ると共に、駐車場管理機の前に車両が停車していて前扉を開けることができない状況下であっても、メンテナンス作業を簡単に、且つ、正確に行うことができるように工夫した駐車場用管理機を提供することである。
【課題を解決するための手段】
【００１２】
（１）  上記の技術的課題を解決するために、本発明の請求項１に係る駐車場用管理機は、駐車場に設置される駐車券発行機や出口料金精算機、或いは、事前料金精算機などの駐車場用管理機であり、車両の通行路に対向する当該管理機の前面に、各種の案内画面を表示する表示器が設けられ、内部にはメンテナンス用の設定装置が設けられると共に、上記管理機の前面部にはメンテナンス用の前扉が開閉可能に設けられた駐車場用管理機であって、上記管理機の前扉に、上記表示器の案内画面を車両の通行路側より視覚確認可能とする開口状又は透過状の第１の窓部と、上記設定装置の設定用キーを車両の通行路側より操作可能とする開口状の第２の窓部とを設けると共に、上記第２の窓部の前面部には、この窓部を覆う第２の前扉を設けて、当該第２の前扉が開放されると上記設定用キーの操作が可能と成り、且つ、上記表示器の案内画面がメンテナンス用設定画面に切換えて表示されることを特徴としている。
【００１３】
（２）  また、本発明の請求項２に係る駐車場用管理機は、前記第２の前扉に、当該第２の前扉を閉じた状態にロックする錠前を設け、この錠前には、錠前の解錠を検知すると前記表示器の案内画面をメンテナンス用の設定画面に切換え表示することができる検知手段が設けられていることを特徴としている。
【００１４】
（３）  また、本発明の請求項３に係る駐車場用管理機は、前記管理機の前扉に、前記第１の窓部と第２の窓部とが一体的に形成されていることを特徴としている。
【００１５】
（４）  また、本発明の請求項４に係る駐車場用管理機は、前記前扉を車両の通行路側に開くと、前記表示器に併設された前記設定用キーの操作が可能と成ると共に、前記案内画面をメンテナンス用の設定画面に切換え操作可能と成ることを特徴としている。
【００１６】
更に、本発明の請求項５に係る駐車場用管理装置は、前記前扉を車両の通行路側に開いて前記表示器をメンテナンス用設定画面に切換えた後、前扉を閉じると、当該表示器の画面が自動的に案内画面に切換わることを特徴としている。
【００１７】
前記（１）と（２）で述べた手段によれば、駐車場用管理機の前面通行路上に車両が停車していて、前扉を開くことができない状況下であっても、錠前を解錠して設定用キーの前面を覆う第２の前扉を開くだけで、設定用キーの操作が可能となると共に、表示器の案内画面がメンテナンス用の設定画面に切換わって表示されるため、各種のメンテナンス作業をこの設定画面を見ながらキー操作することにより、極めて簡単に且つ適格に行うことを可能にする。
【００１８】
更に上記（１）で述べた手段によれば、横扉を不要にする一方、メンテナンス用の設定画面と利用者用の案内画面を、１台の表示器の画面で共用できるため、駐車場管理機のコストダウンに寄与することを可能にする。
【００１９】
上記（３）で述べた手段によれば、前扉に設ける案内画面用の第１の窓部と、設定キー用の第２の窓部とを一体的に形成しているため、両窓部の位置決めや開口といった各作業を、簡単に且つ正確に行うことを可能にする。
【００２０】
上記（４）で述べた手段によれば、車両が管理機の前面通行路から移動して、前扉が開放可能になった場合や、駐車場営業時間外のメンテナンスの場合には、わざわざ第２の前扉用の鍵を用いて第２の前扉を開かなくても、前扉の全体を前面側に開くことによって、表示器に併設された設定用キーの操作が可能と成り、案内画面をメンテナンス用設定画面に切換え操作して、設定画面に切換わった表示器の画面を見ながら、設定用キーを操作して各種メンテナンス処理等を簡単に、且つ、正確に行うことを可能にする。
【００２１】
上記（５）で述べた手段によれば、前扉全体を前面側に開いて表示器をメンテナンス用設定画面に切換えて各種メンテナンス処理を行った後、前扉を閉じると自動的に案内画面に切換わることによって、メンテナンス処理を行った設定画面のままで放置される様なことが防止できる。
【発明の効果】
【００２２】
以上述べた次第で、本発明に係る駐車場用管理機によれば、前面通路上に車両が停車していて前扉を開くことができない状況下でも、前扉に設けた第２の前扉を開くことで各種のメンテナンス処理を行うことができるため、管理機の前面と側面に大きな２枚の前扉と横扉を設ける必要がなく、前面に前扉を設けるだけで通常の使用とメンテナンス処理の使用に対応できると共に、１台の表示器を案内画面と設定画面の双方に切換えて併用できることから、駐車料金精算機や駐車券発行機といった駐車場用管理機の構成を簡略化して、駐車場用管理機を含む駐車場管理装置全体のコストダウンを可能にする経済的利点を発揮することができる。
【００２３】
また、本発明に係る駐車場用管理機によれば、横扉を設ける必要がないことから、管理機を前面通路側のみしか空間のない狭いスペースや、建物の壁面等に容易に嵌め込んで（詰め込んで）設置できる利点も発揮できるものであって、第２の前扉が開くと表示器の案内画面が自動的にメンテナンス操作用の設定画面に移行するため、トラブル発生時に係員が操作しやすいといった操作上の利点と相俟って、駐車場の管理装置として用いてまことに有益なものである。
【発明を実施するための最良の形態】
【００２４】
以下に、上述した本発明に係る駐車場用管理機の実施の形態を図面と共に説明すると、図１は本発明の実施の一例である駐車料金精算機の使用時の状態を示した斜視図、図２は前扉を開いたメンテナンス時の状態を示した斜視図であって、これ等の図面において、１０は駐車場用管理機としての駐車料金精算機（以下単に管理機１０という）で、この管理機１０には、図示した車両の退場に際して駐車料金の決済を行う出口料金精算機の他に、例えば、駐車場内や近隣に設置されて事前の料金精算を行う事前料金精算機や、駐車場への車両の入場に際して駐車券を発行する駐車料金精算機などが存在し、図面にはその代表例として駐車料金精算機を示したが、本発明に係る駐車場用管理機が図示した駐車料金精算機にのみ限定されないことは勿論である。
【００２５】
上述した図１と図２において、１１は上記管理機１０の前面部、即ち、車両の通行路に対向する前面部に開閉自在に取付けた前扉、１０Ｔは前扉１１を開くことによって開口される管理機１０の前面開口部、２０は前面開口部１０Ｔの上側部分に設けた設定装置で、設定装置２０の前面には表示器（図３参照）の表示画面１３と、メンテナンス操作の時に使用する設定用キー１４及び表示画面１３の下側に並設したファンクションキー２１とから成るキー入力装置２３（図３参照）が設けられており、また、管理機１０の内部には管理機１０に関連する各種内部装置類１０Ｋが設けられていて、図１の如く前扉１１を閉じた通常運転時における表示器１３Ｔの表示画面１３には、例えば図４（１）、（２）に例示した如き操作上の案内画面１３Ａ，１３Ｂが表示される仕組みに成っている。
【００２６】
更に上記前扉１１には、前扉１１を図１の如く閉じた状態にした時に、上述した表示画面１３を車両の通行路側（前面側）より視覚確認することができる開口状又は透過状の第１の窓部１１Ａと、上述した設定用キー１４を車両の通行路側（前面側）より操作可能とする開口状の第２の窓部１１Ｂが設けられ、且つ、この第２の窓部１１Ｂの前面部には第２の前扉１５が開閉自在に取付けられている。
【００２７】
上記第２の前扉１５は、図示した如く管理機１０の前面を開閉する前扉１１（第１の前扉）よりも可成り小さく造られていて、錠前１２のロック操作に従って第２の窓部１１Ｂを塞いで、設定用キー１４を操作できない「閉状態」にする一方、錠前１２を解錠操作すると、第２の前扉１５を図１の如く開放作動することを可能にして、設定用キー１４を前面側よりキー操作可能な「開状態」にできる仕組みに成っている。
【００２８】
更に図１において、３６は前扉１１の前面に設けた領収証発行釦、３７は精算の取り消し釦、３８は駐車券等を紛失した場合に使用する紛失釦を示す。また、図２において１２Ａは前扉１１の裏面に設けた上述した錠前１２のシリンダー部、１２Ｂはこのシリンダー部１２Ａに取付けたマグネット、１２Ｃはマグネット１２Ｂの作動を検知して、錠前１２の開閉状態を検出する鍵センサーであって、この鍵センサー１２Ｃが錠前１２の解錠を検出すると、前記表示器１３Ｔの表示画面１３が、図４（１）、（２）に例示したような案内画面１３Ａ又は１３Ｂから、図５に例示するようなメンテナンス用の設定画面１３Ｃに自動的に切換わるように構成されている。
【００２９】
更に図中、１１Ｋは上記前扉１１用の錠前装置で、３５は前扉１１の裏面に設けた上記シリンダー部とマグネット、及び、鍵センサー等から構成されるドアセンサーであって、錠前装置１１Ｋのロックが解錠されて前扉１１が図２の如く前面側に開かれたことをドアセンサー３５が検知した場合に、上記表示器１３Ｔの表示画面１３が、図４に例示した案内画面１３Ａ又は１３Ｂから、図５に例示したメンテナンス用の設定画面１３Ｃに自動的に切換わる様に構成することも可能である。
【００３０】
図３は上述した管理機１０（駐車料金精算機）の電気的構成を説明したブロック図で、図中、３０と３１は制御部の中心を構成するＣＰＵとメモリー、３３はこれ等ＣＰＵ３０とメモリー３１の間にバス３２を介して接続したインターフェイスであって、このインターフェイス３３には、前述した表示器１３Ｔ、キー入力装置２３、鍵センサー１２Ｃ、ドアセンサー３５、領収証発行釦３６、取り消し釦３７、紛失釦３８に加えて、カードリーダー３４、領収証プリンタ４１、コインセレクタ４２、硬貨払い出し装置４３、紙幣リーダー４４、紙幣払い出し装置４５、音声案内用のスピーカ４６、インターホン４７、Ｉ／Ｏ信号端子３９、外部通信装置４０などが接続されていて、夫々がＣＰＵ３０の監視下でメモリー３１に格納されたプログラムに従って制御作動される仕組みに成っている。
【００３１】
尚、図３に示したブロック図は駐車料金精算機のものであって、管理機１０が例えば駐車券発行機の場合は、インターフェイス３３に接続された各部材（装置）より料金精算に関する各部材（例えば紙幣リーダー４４など）が削除されるが、少なくともメモリー３１には管理機１０専用のシステムプログラムに加えて、錠前１２を解錠して第２の前扉１５が開かれた時に、鍵センサー１２Ｃが解錠を検出して、表示器１３Ｔの表示画面１３を案内画面１３Ａ又は１３Ｂから設定画面１３Ｃに自動的に切換えるためのプログラムが格納されていることは勿論である。
【００３２】
また、図２では前記第１の窓部１１Ａと第２の窓部１１Ｂが別々に形成されているが、これを図６（２）に示すように一体（一連）の窓部に構成してもよく、その選択は任意とする。
【００３３】
次に、図４は通常の案内画面を示したものであって、（１）に示した案内画面１３Ａは車両のループコイル（図８参照）のＯＮ検知に従って、駐車券を管理機１０に挿入する際の画面で、（２）は料金表示の案内画面１３Ｂを示す。
【００３４】
図５は第１のメンテナンスモードの状態表示画面１３Ｃを示す。実施例では第２の前扉１５の錠前１２を回すと、錠前１２のシリンダ部１２Ａと一体でマグネット１２Ｂが回動し、回動した位置に置かれたマグネット１２Ｂの磁力を検知する近接センサー式の鍵センサー１２Ｃがそれを検知すると、図５の画面１３Ｃに移行し、ループの状態、エラーの発生状態、などがすぐに確認できる。ここで画面下部の〔券データ〕、〔エラー〕の項目表示１３Ｘは、図６（１）に示す様にその位置がＦ１とＦ３のファンクションキー２１に対応しており、〔券データＦ１〕、〔エラーＦ３〕などと画面表示を構成することも可能である。
【００３５】
図６（１）は設定装置２０の一例を示したもので、二点鎖線で示した部分は前扉１１に設けた第１の窓部１１Ａと第２の窓部１１Ｂであって、図６（１）、（２）に示した各設定画面１３Ｃは、メンテナンスモードにおける状態確認が主たる目的の画面で、エラーが発生した場合の確認すべき項目が表示されている。例えば精算動作が開始されず、駐車券挿入口の図示しないシャッターが開かない場合に、ループの状態は検知しているかどうかが確認できる。
【００３６】
また、定期券を入れたがエラーになる場合、〔エラー〕に相当するファンクションキー〔Ｆ３〕を押すとエラーの内容が表示される。そこで有効期限切れなどの内容が確認できる。または〔券データ〕に相当するファンクションキー〔Ｆ１〕を押すと、カードに記録されている券ナンバー、有効期限、駐車使用中かどうかのステータスなどのデータが確認できる。
【００３７】
第１のメンテナンスモードは、このように主に利用者のミスによるトラブルを早期に確認でき、むやみに機器内部をいじらないことを目的で構成されている。更に、追跡しなければならない機器の故障状態の確認などが必要な場合は、第１のメンテナンスモードより階層の進んだ第２第３と続く設定画面に移行して操作できる用に構成されているが、係員によってその操作階層を制限できるように、設定キー群に予め定められた暗証番号やパスワードを入力するなどで、そのアクセスを管理することも可能である。
【００３８】
図６（２）は、請求項３に記載したような第１の窓部１１Ａと第２の窓部１１Ｂを一体的（一連的）に形成すると共に、更にファンクションキー２１を項目表示１３Ｘに沿わせた状態で設定用キー１４と一体に、且つ、縦型に設けた設定装置２０の他の実施例を示したものである。
【００３９】
尚、本発明の実施例において前扉１１が開かれても、表示器１３Ｔの表示画面１３を案内画面１３Ａ又は１３Ｂから設定画面１３Ｃに自動的には切換えず、案内画面１３Ａ又は１３Ｂの状態を維持する様に構成しているが、これは単に管理機１０の内部を観察しながら通常の動作をテストする場合には自動的に設定画面１３Ｃに切換わる必要がないからであり、メンテナンス作業のために設定画面１３Ｃに切換えるには錠前１２を解錠すればよい。
【００４０】
若しくは、錠前１２は解錠せずとも設定用キー１４の所定のキーを押下する、または所定の暗証番号を入力するなどで、案内画面１３Ａ又は１３Ｂを設定画面１３Ｃの状態に手動で切換えることが可能となっている。
【００４１】
この様にして設定画面１３Ｃの状態に切換えて操作した後、仮に利用者が（車両が）進入してきて精算処理を行う場合など、前扉１１を閉じてドアセンサー３５がドア閉を検知すると、自動的に案内画面１３Ａ又は１３Ｂに戻る様に構成することで、あわてて閉めたために設定画面１３Ｃのままで放置する様なことを防止することができる。
【００４２】
更に本発明は、出口料金精算機や事前料金精算機、或いは、駐車券発行機に加えて、例えば、多数の自転車の個別ロック装置を集中管理する駐輪場用管理装置（精算機）への転用も可能である。即ち、駐輪場精算機とフラップ式集中精算機においてロック装置や車室の番号を入力するテンキーを利用者が操作するような形態の場合は、第２の前扉１５を削除するだけで容易に転用が可能であり、様々な形態の駐車場や駐輪場での利用が可能な装置を実現することができる。
【図面の簡単な説明】
【００４３】
【図１】本発明の実施例である駐車料金精算機の全体を示した斜視図。
【図２】本発明の実施例である駐車料金精算機の前扉を開いた状態の斜視図。
【図３】本発明の電気的構成を説明したブロック図。
【図４】（１）、（２）は案内画面の一例を示した説明図。
【図５】メンテナンス用設定画面の一例を示した説明図。
【図６】（１）は設定装置の構成を説明した正面図、（２）は設定装置の他の構成を説明した正面図。
【図７】駐車料金精算機の従来例を説明した外観図。
【図８】従来の駐車料金精算機の使用例を説明したレイアウト図。
【符号の説明】
【００４４】
１０          駐車場管理機としての駐車料金精算機
１１          前扉
１１Ａ        第１の窓部
１１Ｂ        第２の窓部
１２          錠前
１２Ｃ        鍵センサー
１３          表示画面
１３Ｔ        表示器
１３Ａ        案内画面
１３Ｂ，１３Ｃ          メンテナンス用の設定画面
１４          設定用キー
１５          第２の前扉
２０          設定装置
２１          ファンクションキー
【図１】
2007219906.tif 000003
【図２】
2007219906.tif 000004
【図３】
2007219906.tif 000005
【図４】
2007219906.tif 000006
【図５】
2007219906.tif 000007
【図６】
2007219906.tif 000008
【図７】
2007219906.tif 000009
【図８】
2007219906.tif 000010